(57)【要約】【課題】表示品位を改善する。【解決手段】第１方向、及び、前記第１方向に対して直交する第２方向に並んだ複数の副画素を備え、前記第１方向に隣接する副画素は互いに異なる色の副画素であり、前記第２方向に隣接する副画素は同一色の副画素である表示部と、前記表示部に重畳する光制御部と、を備え、前記表示部は、赤副画素、緑副画素、及び、青副画素を含み、前記赤副画素、前記緑副画素、及び、前記青副画素は、それぞれ平行四辺形に形成され、前記第２方向に対して４°以上１６°以下の第１角度で傾き、前記光制御部は、前記第２方向に対して概略ａｒｃｔａｎ(２／９)を満たす第２角度で傾いている、表示装置。【選択図】  図４
2019078852.tif 000002
【特許請求の範囲】
【請求項１】
第１方向、及び、前記第１方向に対して直交する第２方向に並んだ複数の副画素を備え、前記第１方向に隣接する副画素は互いに異なる色を表示し、前記第２方向に隣接する副画素は同一色を表示する表示部と、
前記表示部に重畳する光制御部と、を備え、
前記表示部は、赤副画素、緑副画素、及び、青副画素を含み、
前記赤副画素、前記緑副画素、及び、前記青副画素は、それぞれ平行四辺形に形成され、前記第２方向に対して４°以上１６°以下の第１角度で傾き、
前記光制御部は、前記第２方向に対して概略ａｒｃｔａｎ(２／９)を満たす第２角度で傾いている、表示装置。
【請求項２】
前記光制御部は、前記第１方向に並んだ複数の前記副画素に重畳する遮光体及び少なくとも１つの前記副画素に重畳する開口を備える光規制体、または、前記第１方向に並んだ複数の前記副画素に重畳するレンズである、請求項１に記載の表示装置。
【請求項３】
前記表示部において、奇数行目の前記副画素、及び、偶数行目の前記副画素のうち、一方は、前記第２方向に対して時計回りに前記第１角度で傾き、他方は、前記第２方向に対して反時計回りに前記第１角度で傾いている、請求項１または２に記載の表示装置。
【請求項４】
前記光制御部は、前記奇数行目の前記副画素、及び、前記偶数行目の前記副画素に跨って直線的に延出している、請求項３に記載の表示装置。
【請求項５】
前記表示部を備えた表示パネルと、
前記第１方向に並んだ複数の前記光制御部を備えた光制御素子と、を備える、請求項１乃至４のいずれか１項に記載の表示装置。
【請求項６】
第１方向、及び、前記第１方向に対して直交する第２方向に並んだ複数の副画素を備え、前記第１方向に隣接する副画素は互いに異なる色を表示し、前記第２方向に隣接する副画素は同一色を表示する表示部と、
前記表示部に重畳する光制御部と、を備え、
前記表示部は、赤副画素、緑副画素、及び、青副画素を含み、
前記赤副画素、前記緑副画素、及び、前記青副画素は、それぞれ平行四辺形に形成され、前記第２方向に対して４°以上１６°以下の第１角度で傾き、
前記光制御部は、前記第２方向に対して概略ａｒｃｔａｎ(２／９)を満たす第２角度で傾いている、表示装置の表示方法であって、
前記第１方向に隣接する前記副画素は、観察面において順に並んだ視点のうち、互いに異なる視点から観察した際の画像を表示し、
第１行目の前記副画素は、ｎを１以上の整数としたときに、（３ｎ−２）で表される視点に対応した画像を表示し、
第２行目の前記副画素は、（３ｎ）で表される視点に対応した画像を表示し、
第３行目の前記副画素は、（３ｎ−１）で表される視点に対応した画像を表示する、表示方法。
【発明の詳細な説明】
【技術分野】
【０００１】
本発明の実施形態は、表示装置及び表示方法に関する。
【背景技術】
【０００２】
近年、裸眼で立体視を可能とする表示装置が種々提案されている。このような表示装置においては、より自然な立体視を可能とすることが求められている。一例では、水平方向に異なる多数の画像を同時に表示する表示パネルと、レンチキュラーレンズとを組み合わせる技術が知られている。これによれば、観察者がレンチキュラーレンズを通して観察した際に、視点を水平方向に変化させた時に観察される画像が切り替わり、運動視差を得ることができる。
【先行技術文献】
【特許文献】
【０００３】
【特許文献１】特許第５８３８２２８号公報
【特許文献２】特開２０１４−８５６６３号公報
【特許文献３】特開２００５−３１６３７２号公報
【発明の概要】
【発明が解決しようとする課題】
【０００４】
本実施形態の目的は、表示品位を改善することが可能な表示装置及び表示方法を提供することにある。
【課題を解決するための手段】
【０００５】
本実施形態によれば、  
第１方向、及び、前記第１方向に対して直交する第２方向に並んだ複数の副画素を備え、前記第１方向に隣接する副画素は互いに異なる色の副画素であり、前記第２方向に隣接する副画素は同一色の副画素である表示部と、前記表示部に重畳する光制御部と、を備え、前記表示部は、赤副画素、緑副画素、及び、青副画素を含み、前記赤副画素、前記緑副画素、及び、前記青副画素は、それぞれ平行四辺形に形成され、前記第２方向に対して４°以上１６°以下の第１角度で傾き、前記光制御部は、前記第２方向に対して概略ａｒｃｔａｎ(２／９)を満たす第２角度で傾いている、表示装置が提供される。  
本実施形態によれば、
第１方向、及び、前記第１方向に対して直交する第２方向に並んだ複数の副画素を備え、前記第１方向に隣接する副画素は互いに異なる色を表示し、前記第２方向に隣接する副画素は同一色を表示する表示部と、前記表示部に重畳する光制御部と、を備え、前記表示部は、赤副画素、緑副画素、及び、青副画素を含み、前記赤副画素、前記緑副画素、及び、前記青副画素は、それぞれ平行四辺形に形成され、前記第２方向に対して４°以上１６°以下の第１角度で傾き、前記光制御部は、前記第２方向に対して概略ａｒｃｔａｎ(２／９)を満たす第２角度で傾いている、表示装置の表示方法であって、前記第１方向に隣接する前記副画素は、観察面において順に並んだ視点のうち、互いに異なる視点から観察した際の画像を表示し、第１行目の前記副画素は、ｎを１以上の整数としたときに、（３ｎ−２）で表される視点に対応した画像を表示し、第２行目の前記副画素は、（３ｎ）で表される視点に対応した画像を表示し、第３行目の前記副画素は、（３ｎ−１）で表される視点に対応した画像を表示する、表示方法が提供される。
【図面の簡単な説明】
【０００６】
【図１】図１は、本実施形態における表示装置１の第１構成例を示す断面図である。
【図２】図２は、図１に示した表示パネル１０の一構成例を示す平面図である。
【図３】図３は、図１に示した光制御素子２０の一構成例を示す断面図である。
【図４】図４は、図３に示した光制御素子２０の一構成例を示す平面図である。
【図５】図５は、本実施形態における表示装置１の第２構成例を示す断面図である。
【図６】図６は、本実施形態における表示装置１の第３構成例を示す断面図である。
【図７】図７は、図５及び図６に示した光制御素子６０の一構成例を示す断面図である。
【図８】図８は、図５及び図６に示した光制御素子６０の一構成例を示す平面図である。
【図９】図９は、表示部ＤＡにおける副画素ＳＰのレイアウトの一例を示す図である。
【図１０】図１０は、仮想の観察面ＶＰにおける視点と、観察される副画素ＳＰとの関係を示す図である。
【図１１】図１１は、光制御部１００として光規制体２２を適用した場合に、視点Ｖ１で観察される副画素ＳＰを示す平面図である。
【図１２】図１２は、光制御部１００としてレンズ６１を適用した場合に、視点Ｖ１で観察される副画素ＳＰを示す平面図である。
【図１３】図１３は、比較例の表示装置における表示例を示す図である。
【図１４】図１４は、本実施形態の表示装置１における表示例を示す図である。
【発明を実施するための形態】
【０００７】
以下、いくつかの実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【０００８】
≪第１構成例≫  
図１は、本実施形態における表示装置１の第１構成例を示す断面図である。図中において、第１方向Ｘ及び第２方向Ｙは互いに直交し、第３方向Ｚは第１方向Ｘ及び第２方向Ｙと直交している。本明細書において、第３方向Ｚを示す矢印の先端に向かう方向を「上」と称し、矢印の先端から逆に向かう方向を「下」と称する。「第１部材の上の第２部材」及び「第１部材の下の第２部材」とした場合、第２部材は、第１部材に接していてもよいし、第１部材から離間していてもよい。また、第３方向Ｚを示す矢印の先端側に表示装置１を観察する観察位置があるものとし、この観察位置から、第１方向Ｘ及び第２方向Ｙによって規定されるＸ−Ｙ平面に向かって観察することを平面視という。
【０００９】
表示装置１は、表示パネル１０と、光制御素子２０と、照明装置３０と、を備えている。表示パネル１０は、例えば液晶パネルである。表示パネル１０は、第１基板１１及び第２基板１２を備えている。第２基板１２は、第１基板１１の上に位置している。光制御素子２０は、表示パネル１０の上に位置している。光制御素子２０は、後に詳述するが、複数の光制御部を備えている。光制御素子２０は、透明樹脂４０により表示パネル１０に固定されている。照明装置３０は、表示パネル１０の下に位置している。第１偏光板５１は、第１基板１１の下面１１Ｂに接着されている。第２偏光板５２は、光制御素子２０の上面２０Ａに接着されている。
【００１０】
なお、第２偏光板５２は、第２基板１２の上面１２Ａに接着されてもよいし、光制御素子２０の下面２０Ｂに接着されてもよい。また、光制御素子２０は、第１偏光板５１と第１基板１１との間に位置していてもよい。また、光制御素子２０は、表示パネル２０に内蔵されていてもよい。
【００１１】
図２は、図１に示した表示パネル１０の一構成例を示す平面図である。表示パネル１０は、平面視で第１基板１１及び第２基板１２が重畳する部分に表示部ＤＡを備えている。表示部ＤＡは、第１方向Ｘ及び第２方向Ｙに並んだ複数の副画素ＳＰを備えている。一例では、表示部ＤＡは、副画素ＳＰとして、赤色を表示する赤副画素ＳＰＲと、緑色を表示する緑副画素ＳＰＧと、青色を表示する青副画素ＳＰＢと、を備えている。図２においては、赤副画素ＳＰＲは第２方向Ｙに平行な縦線のパターンで示し、緑副画素ＳＰＧは第１方向Ｘに平行な横線のパターンで示し、青副画素ＳＰＢは格子のパターンで示している。なお、以下の説明において、副画素の色について言及しない場合には、単に副画素ＳＰと称して説明する場合がある。第１方向Ｘは水平方向と称される場合があり、第２方向Ｙは垂直方向と称される場合がある。第１方向Ｘに並んだ複数の副画素ＳＰは「行」を構成し、第２方向Ｙに並んだ複数の副画素ＳＰは「列」を構成する。  
第１方向Ｘに隣接する副画素ＳＰは、互いに異なる色を表示する副画素である。第２方向Ｙに隣接する副画素ＳＰは、同一色を表示する副画素である。例えば、赤副画素ＳＰＲ、緑副画素ＳＰＧ、及び、青副画素ＳＰＢは、この順に第１方向Ｘに並び、主画素ＰＸを構成する。主画素ＰＸは、第１方向Ｘ及び第２方向Ｙに並んでいる。  
赤副画素ＳＰＲ、緑副画素ＳＰＧ、及び、青副画素ＳＰＢは、それぞれ平行四辺形に形成され、第２方向Ｙに対して４°以上１６°以下の第１角度θ１で傾いている。また、赤副画素ＳＰＲ、緑副画素ＳＰＧ、及び、青副画素ＳＰＢは、それぞれ同じ寸法を有しており、第１方向Ｘに沿った幅ＷＸと、第２方向Ｙに沿った幅ＷＹと、を有している。例えば、幅ＷＹは、幅ＷＸの約３倍である。
【００１２】
表示部ＤＡにおいて、奇数行目ＬＡに位置する副画素ＳＰは、偶数行目ＬＢに位置する副画素ＳＰとは異なる方向に傾いている。但し、奇数行目ＬＡに位置する副画素ＳＰと第２方向Ｙとのなす角度は、偶数行目ＬＢに位置する副画素ＳＰと第２方向Ｙとのなす角度と同一である。  
例えば、奇数行目ＬＡに位置する副画素ＳＰは、いずれも第２方向Ｙに対して時計回りに第１角度θ１で傾いている。一方、偶数行目ＬＢに位置する副画素ＳＰは、いずれも第２方向Ｙに対して反時計回りに第１角度θ１で傾いている。なお、奇数行目ＬＡに位置する副画素ＳＰが第２方向Ｙに対して反時計回りに第１角度θ１で傾き、偶数行目ＬＢに位置する副画素ＳＰが第２方向Ｙに対して時計回りに第１角度θ１で傾いていてもよい。
【００１３】
図３は、図１に示した光制御素子２０の一構成例を示す断面図である。光制御素子２０は、基材２１と、複数の光規制体２２と、を備えている。基材２１は、ガラスや樹脂などの透明基板である。光規制体２２は、自身を透過する光線を制限するものであり、光制御部として機能する。光規制体２２は、一例として、第１方向Ｘに並んだ複数の副画素ＳＰに重畳する遮光体２３と、少なくとも１つの副画素ＳＰに重畳する開口２４と、を備えている。換言すると、複数の遮光体２３は、開口２４に相当する間隔をおいて第１方向Ｘに並んでいる。遮光体２３は、その光学濃度（ＯＤ値）が３以上であることが望ましい。遮光体２３は、クロムやモリブデン、あるいは銀を含む化合物などの金属材料によって形成されてもよいし、黒色の樹脂材料によって形成されてもよい。本実施の形態では、例えば光規制体２２として、エマルジョンマスクを用いる。
【００１４】
遮光体２３は幅Ｗ２３を有し、開口２４は幅Ｗ２４を有している。なお、ここでの幅Ｗ２３及び幅Ｗ２４は、いずれも第１方向Ｘに沿った長さである。１個の光規制体２２の幅Ｗ２２あるいはピッチは、幅Ｗ２３と幅Ｗ２４との和に相当する。  
幅Ｗ２３は、幅Ｗ２４より大きい。遮光体２３は、例えば２２個の副画素ＳＰに重畳している。開口２４は、例えば１個の副画素ＳＰに重畳している。第１方向Ｘに隣接する開口２４は、互いに異なる色の副画素ＳＰに重畳している。例えば、図３の左側に位置する開口２４は赤副画素ＳＰＲに重畳し、図３の右側に位置する開口２４は青副画素ＳＰＢに重畳している。
【００１５】
図３に示した例では、幅Ｗ２４は、副画素ＳＰの幅ＷＸより大きいが、この例に限定されるものではない。幅Ｗ２４は幅ＷＸと同等であってもよいし、幅Ｗ２４は幅ＷＸより小さくてもよい。幅Ｗ２４が幅ＷＸより小さい場合、光規制体２２を透過する光線の数を低減することができ、視認される画像の解像度を向上することができる。一方で、視認される画像の輝度低下を抑制する観点では、幅Ｗ２４は、少なくとも１副画素分の幅ＷＸとほぼ等しいことが望ましい。
【００１６】
図４は、図３に示した光制御素子２０の一構成例を示す平面図である。光制御素子２０は、第１方向Ｘに並んだ複数の光規制体２２を備えている。光規制体２２を構成する遮光体２３及び開口２４は、第１方向Ｘ及び第２方向Ｙとは異なる方向に延出している。遮光体２３の各々は、第１方向Ｘに並んだ一対のエッジＥ２３を有している。一対のエッジＥ２３は、平行である。開口２４は、第１方向Ｘに隣接する遮光体２３の互いに向かい合うエッジＥ２３の間に位置する。
【００１７】
光規制体２２は、図２に示した表示部ＤＡに重畳し、奇数行目ＬＡに位置する副画素ＳＰ、及び、偶数行目ＬＢに位置する副画素ＳＰに跨って直線的に延出している。光規制体２２、遮光体２３、及び、開口２４のそれぞれは、第２方向Ｙに対して第２角度θ２で傾いている。第２角度θ２は、第１角度θ１より小さい。本実施形態では、光規制体２２、遮光体２３、及び、開口２４のそれぞれの延出方向は、エッジＥ２３の延出方向として規定することができる。エッジＥ２３は、第２方向Ｙに対して概略ａｒｃｔａｎ(２／９)を満たす第２角度θ２（約１２．５°）で傾いている。なお、ここでの第２角度θ２は、第２方向Ｙに対して時計回りの角度であってもよいし、第２方向Ｙに対して反時計回りの角度であってもよい。
【００１８】
本実施形態の第１構成例によれば、光制御素子２０は、図２に示した表示部ＤＡを備えた表示パネル１０に重畳し、しかも、４°以上１６°以下の第１角度θ１で傾いた副画素ＳＰに対して、概略ａｒｃｔａｎ(２／９)を満たす第２角度θ２で傾いた光規制体２２（光制御部）を備えている。上記の第１角度θ１及び第２角度θ２を規定したことにより、規則的に配置された副画素ＳＰと、規則的に並んだ光規制体２２との間でのモアレを抑制することができ、しかも、解像度を向上することができる。
【００１９】
≪第２構成例≫  
図５は、本実施形態における表示装置１の第２構成例を示す断面図である。図５に示した表示装置１は、図１に示した表示装置１とは異なる光制御素子６０を備えている。光制御素子６０は、複数のレンズ６１を備えている。光制御素子６０は、レンズ面６０Ａ及び平面６０Ｂを有している。光制御素子６０は、その平面６０Ｂが透明樹脂４０により第２偏光板５２に固定されている。第２偏光板５２は、第２基板１２の上面１２Ａに接着されている。光制御素子６０の詳細については後述する。
【００２０】
≪第３構成例≫  
図６は、本実施形態における表示装置１の第３構成例を示す断面図である。図６に示した表示装置１は、図５に示した表示装置１と比較して、光制御素子６０の位置が相違している。すなわち、光制御素子６０は、そのレンズ面６０Ａが第２基板１２に接触している。光制御素子６０は、詳述しないが表示パネル２０の外周に固定されていることが望ましい。第２偏光板５２は、光制御素子６０の平面６０Ｂに接着されている。光制御素子６０の詳細については後述する。
【００２１】
図７は、図５及び図６に示した光制御素子６０の一構成例を示す断面図である。複数のレンズ６１を備えた光制御素子６０は、透明なガラスや樹脂などによって形成されている。レンズ６１は、光制御部として機能する。レンズ６１は、第１方向Ｘに並んだ複数の副画素ＳＰに重畳する。レンズ６１は、第１方向Ｘに沿って幅Ｗ６１を有している。レンズ６１は、例えば２３個の副画素ＳＰに重畳している。
【００２２】
図８は、図５及び図６に示した光制御素子６０の一構成例を示す平面図である。光制御素子２０において、複数のレンズ６１は、第１方向Ｘに並んでいる。レンズ６１は、第１方向Ｘ及び第２方向Ｙとは異なる方向に延出している。レンズ６１の各々は、第１方向Ｘに並んだ一対のエッジＥ６１を有している。一対のエッジＥ６１は、平行である。  
レンズ６１は、図２に示した表示部ＤＡに重畳し、奇数行目ＬＡに位置する副画素ＳＰ、及び、偶数行目ＬＢに位置する副画素ＳＰに跨って直線的に延出している。レンズ６１は、第１構成例と同様に、第２方向Ｙに対して第２角度θ２で傾いている。本実施形態では、レンズ６１の延出方向は、エッジＥ６１の延出方向として規定することができる。エッジＥ６１は、第２方向Ｙに対して概略ａｒｃｔａｎ(２／９)を満たす第２角度θ２で傾いている。  
本実施形態の第２構成例及び第３構成例によれば、光制御素子６０は、図２に示した表示部ＤＡを備えた表示パネル１０に重畳し、しかも、４°以上１６°以下の第１角度θ１で傾いた副画素ＳＰに対して、概略ａｒｃｔａｎ(２／９)を満たす第２角度θ２で傾いたレンズ６１（光制御部）を備えている。上記の第１角度θ１及び第２角度θ２を規定したことにより、第１構成例と同様の効果が得られる。
【００２３】
≪光制御の具体例≫  
以下、上記の光規制体２２及びレンズ６１を光制御部１００として説明する。  
図９は、表示部ＤＡにおける副画素ＳＰのレイアウトの一例を示す図である。図１０は、仮想の観察面ＶＰにおける視点と、観察される副画素ＳＰとの関係を示す図である。単位マトリクスＵは、第１方向Ｘ及び第２方向Ｙにマトリクス状に並んだ複数個の副画素ＳＰを備えている。単位マトリクスＵにおいて、一例では、第１方向Ｘに２３個の副画素ＳＰが並び、第２方向Ｙに９個の副画素ＳＰが並んでいる。つまり、単位マトリクスＵは、２０７（＝２３＊９）個の副画素ＳＰを備えている。
【００２４】
図９において各副画素ＳＰに記した数字は、図１０に示した観察面ＶＰにおいて反時計回りに順に並んだ視点の番号を示している。一例では、観察面ＶＰにおいて、６９個の視点が存在している。図９において同一の数字が記された副画素ＳＰは、同一の視点で観察されるものである。単位マトリクスＵは、第２方向Ｙに連続して並んだ３行分において、全部で６９（＝２３＊３）個の副画素ＳＰを備えている。これらの６９個の副画素ＳＰは、それぞれ異なる視点から観察される。つまり、６９個の副画素ＳＰは、それぞれ６９個の視点から観察される。
【００２５】
例えば、図９に示した第１行目Ｌ１には、（３ｎ−２）で表される視点から観察される副画素ＳＰが配置されている。但し、ｎは１以上の整数である。第２行目Ｌ２には、（３ｎ）で表される視点から観察される副画素ＳＰが配置されている。第３行目Ｌ３には、（３ｎ−１）で表される視点から観察される副画素ＳＰが配置されている。第４行目Ｌ４及び第７行目Ｌ７は第１行目Ｌ１と同様に配置された副画素ＳＰを備え、第５行目Ｌ５及び第８行目Ｌ８は第２行目Ｌ２と同様に配置された副画素ＳＰを備え、第６行目Ｌ６及び第９行目Ｌ９は第３行目Ｌ３と同様に配置された副画素ＳＰを備えている。  
第１行目Ｌ１、第４行目Ｌ４、及び、第７行目Ｌ７のそれぞれの副画素ＳＰは、（３ｎ−２）で表される視点に対応した画像を表示する。第２行目Ｌ２、第５行目Ｌ５、及び、第８行目Ｌ８のそれぞれの副画素ＳＰは、（３ｎ）で表される視点に対応した画像を表示する。第３行目Ｌ３、第６行目Ｌ６、及び、第９行目Ｌ９のそれぞれの副画素ＳＰは、（３ｎ−１）で表される視点に対応した画像を表示する。
【００２６】
連続した３行分の副画素ＳＰには、同一の視点において観察される赤副画素ＳＰＲ、緑副画素ＳＰＧ、及び、青副画素ＳＰＢのいずれかが含まれる。また、同一の視点においてカラー表示を実現すべく、連続した９行分の副画素ＳＰには、赤副画素ＳＰＲ、緑副画素ＳＰＧ、及び、青副画素ＳＰＢのすべてが含まれる。  
すなわち、同一の視点から観察される第１色の副画素は第１行目Ｌ１から第３行目Ｌ３までに含まれ、第１色とは異なる第２色の副画素は第４行目Ｌ４から第６行目Ｌ６までに含まれ、第１色及び第２色とは異なる第３色の副画素は第７行目Ｌ７から第９行目Ｌ９までに含まれる。一例では、視点「１」から観察した場合、第１行目Ｌ１に緑副画素ＳＰＧが含まれ、第４行目に青副画素ＳＰＢが含まれ、第７行目に赤副画素ＳＰＲが含まれる。
【００２７】
図１０においては、視線Ｖ１〜Ｖ６７が図示されている。視線Ｖ１〜Ｖ６７は、光制御部１００によって規制された光線とみなすことができる。視線Ｖ１〜Ｖ６７は、観察面ＶＰの各視点に観察者の眼が位置するものとしたときに、各視点「１」〜「６７」と、第１行目Ｌ１の副画素ＳＰの各々と、を結ぶ線分である。
【００２８】
なお、観察面ＶＰにおける視点「１」及び「４」の間には、図示しない視点「２」及び「３」が存在する。また、視線Ｖ１及びＶ４の間には、図示しない視線Ｖ２及びＶ３が存在する。視線Ｖ２は、視点「２」と、第３行目Ｌ３に「２」と記した副画素ＳＰと、を結ぶ線分である。視線Ｖ３は、視点「３」と、第２行目Ｌ２に「３」と記した副画素ＳＰと、を結ぶ線分である。上記の通り、観察面ＶＰには６９個の視点「１」〜「６９」が存在し、表示部ＤＡには「１」〜「６９」と記した６９個の副画素ＳＰが存在し、観察面ＶＰと表示部ＤＡとの間には、対応する６９本の視線Ｖ１〜Ｖ６９が存在する。
【００２９】
第１方向Ｘに並んだ２３個の副画素ＳＰは、対応する視点から観察した際の画像を表示する。観察面ＶＰに位置する観察者は、光制御部１００を介して表示部ＤＡを観察した際に、視線Ｖ１〜Ｖ６９のいずれかを通して副画素ＳＰを視認することができる。観察者の右眼と左眼とでは、観察面ＶＰにおける視点が異なる。このため、観察者は、複数の視点で異なる画像を観察することによって視差を認識し、画像の立体感を得ることができる。また、観察者が観察面ＶＰに沿って視点を変化させた際には、６９個の各視点に応じた画像を観察することができ、より自然な立体感を得ることができる。
【００３０】
図１１は、光制御部１００として光規制体２２を適用した場合に観察される副画素ＳＰを示す平面図である。光制御素子２０は、単位マトリクスＵに重畳している。光規制体２２における開口２４は、第１行目Ｌ１から第９行目Ｌ９までの副画素ＳＰに跨って直線的に延出している。  
図１１に示した例では、副画素ＳＰにおいて、幅ＷＸを１としたとき、幅ＷＹは３である。第１角度θ１は１５°であり、第２角度θ２は１２．５°である。光制御素子２０が単位マトリクスＵに重畳した状態では、開口２４と、「１」と記された副画素ＳＰＧ、副画素ＳＰＢ、及び、副画素ＳＰＲとがそれぞれ重畳する。したがって、図１０に示した視点「１」から観察した際に、対応する副画素ＳＰＧ、副画素ＳＰＢ、及び、副画素ＳＰＲを観察することができる。
【００３１】
図１２は、光制御部１００としてレンズ６１を適用した場合に観察される副画素ＳＰを示す平面図である。レンズ６１は、第１行目Ｌ１から第９行目Ｌ９までの副画素ＳＰに跨って直線的に延出している。  
図１２に示した例では、副画素ＳＰにおいて、幅ＷＸを１としたとき、幅ＷＹは３である。第１角度θ１は１５°であり、第２角度θ２は１２．５°である。光制御素子２０が単位マトリクスＵに重畳した状態では、開口２４と、「１」と記された副画素ＳＰＧ、副画素ＳＰＢ、及び、副画素ＳＰＲとがレンズ６１の延出方向に平行な同一直線上に位置する。したがって、図１０に示した視点「１」から観察した際に、対応する副画素ＳＰＧ、副画素ＳＰＢ、及び、副画素ＳＰＲを観察することができる。
【００３２】
図１３は、比較例の表示装置における表示例を示す図である。図１４は、本実施形態の表示装置１における表示例を示す図である。  
図１３に示した比較例は、特開２００５−３１６３７２号公報の図７に開示されたレイアウトの表示部ＤＡと、本実施形態の光制御部１００とが重畳した例に相当する。表示部ＤＡには、「ＡＢＣＤＥ」の文字列が表示されているが、光制御部１００を介して観察した場合に、その文字列を認識することが困難であった。  
図１４に示した本実施形態によれば、光制御部１００を介して表示部ＤＡを観察した場合に、表示部ＤＡに表示された「ＡＢＣＤＥ」の文字列を認識することができ、しかも、モアレが視認されることはなかった。
【００３３】
以上説明したように、本実施形態によれば、表示品位を改善することが可能な表示装置及び表示方法を提供することができる。
【００３４】
なお、この発明は、上記各実施形態そのものに限定されるものではなく、その実施の段階ではその要旨を逸脱しない範囲で構成要素を変形して具体化できる。また、各実施形態に開示されている複数の構成要素の適宜な組み合せにより種々の発明を形成できる。例えば、各実施形態に示される全構成要素から幾つかの構成要素を削除してもよい。更に、異なる実施形態に亘る構成要素を適宜組み合せてもよい。
【００３５】
本明細書にて開示した構成から得られる表示装置の一例を以下に付記する。  
（１）  第１方向、及び、前記第１方向に対して直交する第２方向に並んだ複数の副画素を備え、前記第１方向に隣接する副画素は互いに異なる色を表示し、前記第２方向に隣接する副画素は同一色を表示する表示部と、
前記表示部に重畳する光制御部と、を備え、
前記表示部は、赤副画素、緑副画素、及び、青副画素を含み、
前記赤副画素、前記緑副画素、及び、前記青副画素は、それぞれ平行四辺形であり、前記第２方向に対して４°以上１６°以下の第１角度で傾き、
前記光制御部は、前記第２方向に対して概略ａｒｃｔａｎ(２／９)を満たす第２角度で傾いている、表示装置。
（２）  前記光制御部は、前記第１方向に並んだ複数の前記副画素に重畳する遮光体及び少なくとも１つの前記副画素に重畳する開口を備える光規制体、または、前記第１方向に並んだ複数の前記副画素に重畳するレンズである、（１）に記載の表示装置。
（３）  前記表示部において、奇数行目の前記副画素、及び、偶数行目の前記副画素のうち、一方は、前記第２方向に対して時計回りに前記第１角度で傾き、他方は、前記第２方向に対して反時計回りに前記第１角度で傾いている、（１）または（２）に記載の表示装置。
（４）  前記光制御部は、前記奇数行目の前記副画素、及び、前記偶数行目の前記副画素に跨って直線的に延出している、（３）に記載の表示装置。
（５）  前記表示部を備えた表示パネルと、
前記第１方向に並んだ複数の前記光制御部を備えた光制御素子と、を備える、（１）乃至（４）のいずれか１項に記載の表示装置。
（６）  第１方向、及び、前記第１方向に対して直交する第２方向に並んだ複数の副画素を備え、前記第１方向に隣接する副画素は互いに異なる色を表示し、前記第２方向に隣接する副画素は同一色を表示する表示部と、
前記表示部に重畳する光制御部と、を備え、
前記表示部は、赤副画素、緑副画素、及び、青副画素を含み、
前記赤副画素、前記緑副画素、及び、前記青副画素は、それぞれ平行四辺形に形成され、前記第２方向に対して４°以上１６°以下の第１角度で傾き、
前記光制御部は、前記第２方向に対して概略ａｒｃｔａｎ(２／９)を満たす第２角度で傾いている、表示装置の表示方法であって、
前記第１方向に隣接する前記副画素は、観察面において順に並んだ視点のうち、互いに異なる視点から観察した際の画像を表示し、
第１行目の前記副画素は、ｎを１以上の整数としたときに、（３ｎ−２）で表される視点に対応した画像を表示し、
第２行目の前記副画素は、（３ｎ）で表される視点に対応した画像を表示し、
第３行目の前記副画素は、（３ｎ−１）で表される視点に対応した画像を表示する、表示方法。
【符号の説明】
【００３６】
１…表示装置  １０…表示パネル  ２０、６０…光制御素子  ３０…照明装置
ＤＡ…表示部  ＳＰ…副画素  ＰＸ…主画素
ＳＰＲ…赤副画素  ＳＰＧ…緑副画素  ＳＰＢ…青副画素  Ｕ…単位マトリクス
２２…光規制体（光制御部）  ２３…遮光体  ２４…開口
６１…レンズ（光制御部）
１００…光制御部
【図１】
2019078852.tif 000003
【図２】
2019078852.tif 000004
【図３】
2019078852.tif 000005
【図４】
2019078852.tif 000006
【図５】
2019078852.tif 000007
【図６】
2019078852.tif 000008
【図７】
2019078852.tif 000009
【図８】
2019078852.tif 000010
【図９】
2019078852.tif 000011
【図１０】
2019078852.tif 000012
【図１１】
2019078852.tif 000013
【図１２】
2019078852.tif 000014
【図１３】
2019078852.tif 000015
【図１４】
2019078852.tif 000016